(57)【要約】【課題】オイルパンから油が溢れ出てしまうことを防止することができる乗客コンベヤの廃油回収装置を得る。【解決手段】主枠１に設けられたオイルパン５に溜められた油を回収するエスカレータの廃油回収装置６であって、廃油回収容器６０１と、オイルパン５と廃油回収容器６０１とに渡って設けられ、回転することによってオイルパン５に溜められた油を廃油回収容器６０１に移動させる二軸スクリューローラ装置６０２と、下部スプロケット４２の回転力を二軸スクリューローラ装置６０２に伝達して、二軸スクリューローラ装置６０２を駆動させる動力伝達装置６０３とを備えている。【選択図】図２
2017057023.tif 000002
【特許請求の範囲】
【請求項１】
主枠に設けられたオイルパンに溜められた油を回収する乗客コンベヤの廃油回収装置であって、
廃油回収容器と、
前記オイルパンと前記廃油回収容器とに渡って設けられ、回転することによって前記オイルパンに溜められた油を前記廃油回収容器に移動させる二軸スクリューローラ装置と、
下部スプロケットの回転力を前記二軸スクリューローラ装置に伝達して、前記二軸スクリューローラ装置を駆動させる動力伝達装置と
を備えた乗客コンベヤの廃油回収装置。
【請求項２】
前記動力伝達装置は、前記下部スプロケットの側面に接触し前記下部スプロケットの回転力が伝達される入力ローラを有し、前記入力ローラの回転力を用いて前記二軸スクリューローラ装置を駆動させる請求項１に記載の乗客コンベヤの廃油回収装置。
【請求項３】
前記動力伝達装置は、前記入力ローラとともに回転する中間軸と、前記中間軸の回転力が伝達される切替装置と、前記切替装置から回転力が伝達され、伝達された回転力により前記二軸スクリューローラ装置を駆動させる出力軸とさらにを有し、
前記切替装置は、回転方向を反転して前記中間軸の回転力を前記出力軸に伝達する反転状態と、回転方向を変化させることなく前記中間軸の回転力を前記出力軸に伝達する正転状態との間で状態が変化する請求項２に記載の乗客コンベヤの廃油回収装置。
【発明の詳細な説明】
【技術分野】
【０００１】
この発明は、主枠に設けられたオイルパンに溜められた油を回収する乗客コンベヤの廃油回収装置に関する。
【背景技術】
【０００２】
従来、主枠に設けられ、踏段チェーン等から垂れて落ちた油が溜められるオイルパンを備えたエスカレータが知られている（例えば、特許文献１参照）。
【先行技術文献】
【特許文献】
【０００３】
【特許文献１】特開平６−３４０３９３号公報
【発明の概要】
【発明が解決しようとする課題】
【０００４】
しかしながら、オイルパンに溜められた油を作業者が定期的に除去しなければ、オイルパンから油が溢れ出てしまうという問題点があった。
【０００５】
この発明は、オイルパンから油が溢れ出てしまうことを防止することができる乗客コンベヤの廃油回収装置を提供するものである。
【課題を解決するための手段】
【０００６】
この発明に係る乗客コンベヤの廃油回収装置は、主枠に設けられたオイルパンに溜められた油を回収する乗客コンベヤの廃油回収装置であって、廃油回収容器と、オイルパンと廃油回収容器とに渡って設けられ、回転することによってオイルパンに溜められた油を廃油回収容器に移動させる二軸スクリューローラ装置と、下部スプロケットの回転力を二軸スクリューローラ装置に伝達して、二軸スクリューローラ装置を駆動させる動力伝達装置とを備えている。
【発明の効果】
【０００７】
この発明に係る乗客コンベヤの廃油回収装置によれば、二軸スクリューローラ装置がオイルパンの油をオイルパンから廃油回収容器に移動させるので、オイルパンから油が溢れ出てしまうことを防止することができる。
【図面の簡単な説明】
【０００８】
【図１】この発明の実施の形態１に係るエスカレータを示す側面図である。
【図２】図１の廃油回収装置および下部スプロケットを示す平面図である。
【図３】図２の廃油回収容器および回収ローラを示す側面図である。
【図４】図２の切替装置を示す断面図である。
【図５】図４の切替軸、継手部およびハンドルを示す底面図である。
【図６】図４の継手および継手部の要部を示す斜視図である。
【図７】図４の切替軸が変位した状態を示す図である。
【発明を実施するための形態】
【０００９】
実施の形態１．
図１はこの発明の実施の形態１に係るエスカレータを示す側面図である。図において、エスカレータ（乗客コンベヤ）は、上階側階床１００と下階側階床１０１とに渡って設けられた主枠１と、主枠１に設けられ、乗降口間を循環移動する複数の踏段２と、踏段２よりも踏段２の幅方向外側に設けられた一対の欄干３と、主枠１に設けられ、それぞれの踏段２を循環移動させる踏段駆動装置４と、主枠１に設けられ、油が溜められるオイルパン５と、主枠１に設けられオイルパン５に溜められた油を回収する廃油回収装置６とを備えている。
【００１０】
主枠１は、上階側階床１００に隣り合う上部水平部１１と、下階側階床１０１に隣り合う下部水平部１２と、上部水平部１１と下部水平部１２とに渡って設けられた傾斜部１３とを有している。
【００１１】
踏段駆動装置４は、上部水平部１１に設けられた上部スプロケット４１と、下部水平部１２に設けられた下部スプロケット４２と、上部スプロケット４１と下部スプロケット４２とに渡って巻き掛けられた無端状の踏段チェーン４３とを有している。上部スプロケット４１は、図示しない駆動装置の駆動力が伝達されることによって回転する。上部スプロケット４１が回転することによって、踏段チェーン４３が循環移動し、下部スプロケット４２が回転する。踏段チェーン４３には、踏段２が接続されている。したがって、踏段チェーン４３が循環移動することによって、踏段２が循環移動する。踏段チェーン４３には、図示しない給油装置から定期的に油が供給される。踏段チェーン４３に油が供給されることによって、踏段チェーン４３は、スムーズに循環移動することができる。
【００１２】
オイルパン５は、踏段チェーン４３の下方であって主枠１の長手方向全域に渡って設けられている。オイルパン５には、踏段チェーン４３に供給された油が垂れて落ちるようになっている。
【００１３】
図２は図１の廃油回収装置６および下部スプロケット４２を示す平面図である。廃油回収装置６は、廃油回収容器６０１と、オイルパン５と廃油回収容器６０１とに渡って設けられ、回転することによってオイルパン５に溜められた油を廃油回収容器６０１に移動させる二軸スクリューローラ装置６０２と、下部スプロケット４２の回転力を二軸スクリューローラ装置６０２に伝達して、二軸スクリューローラ装置６０２を駆動させる動力伝達装置６０３とを備えている。
【００１４】
廃油回収容器６０１は、オイルパン５の内側に載せられている。なお、廃油回収容器６０１は、オイルパン５の外側に配置されてもよい。
【００１５】
二軸スクリューローラ装置６０２は、先細り形状に形成された一対の回収ローラ６０４を有している。この例では、一対の回収ローラ６０４のうち、動力伝達装置６０３に接続されているものを主動回収ローラ６０４Ａとし、他方のものを従動回収ローラ６０４Ｂとする。主動回収ローラ６０４Ａおよび従動回収ローラ６０４Ｂの側面には、らせん状の溝６０５が形成されている。主動回収ローラ６０４Ａおよび従動回収ローラ６０４Ｂは、溝６０５が形成されることによって形成されたらせん状のスクリュー凸部６０６を有している。主動回収ローラ６０４Ａのスクリュー凸部６０６が従動回収ローラ６０４Ｂの溝６０５に挿入され、従動回収ローラ６０４Ｂのスクリュー凸部６０６が主動回収ローラ６０４Ａの溝６０５に挿入されている。したがって、主動回収ローラ６０４Ａが回転することによって、従動回収ローラ６０４Ｂが回転する。
【００１６】
図３は図２の廃油回収容器６０１および回収ローラ６０４を示す側面図である。回収ローラ６０４の下端部は、オイルパン５に溜められた油に浸される。したがって、回収ローラ６０４の下端部における溝６０５には油が進入し、溝６０５の内面に油が張り付く。この状態で回収ローラ６０４が回転すると、回収ローラ６０４の下端部における溝６０５の内面に張り付いた油が、回収ローラ６０４の上面に移動する。回収ローラ６０４の回転速度は、回収ローラ６０４の下端部における溝６０５の内面に張り付いた油が回収ローラ６０４の上面に移動することができる程度の速度となっている。回収ローラ６０４の上面に移動した油は、一対の回収ローラ６０４の間に溜められて、さらに、それぞれの回収ローラ６０４の回転によって、廃油回収容器６０１に向かって移動する。それぞれの回収ローラ６０４の回転方向は、回収ローラ６０４を上方から見た場合に一対の回収ローラ６０４の互いに対向する面が下方へ向かう方向となっている。回収ローラ６０４の先端部に到達した油は、回収ローラ６０４から落下して、廃油回収容器６０１に移動する。
【００１７】
図２に示すように、動力伝達装置６０３は、下部スプロケット４２の側面に接触し下部スプロケット４２の回転力が伝達される入力ローラ６０７と、一端部が入力ローラ６０７に接続され、入力ローラ６０７とともに回転する入力軸６０８と、入力軸６０８の他端部に一体に設けられ、入力軸６０８とともに回転する第１傘車６０９と、第１傘車６０９との間で回転力が伝達されるように設けられた第２傘車６１０と、一端部が第２傘車６１０に一体に設けられ、第２傘車６１０とともに回転する中間軸６１１と、中間軸６１１の回転力が伝達される切替装置６１２と、切替装置６１２から回転力が伝達され、伝達された回転力により二軸スクリューローラ装置を駆動させる出力軸６１３と、切替装置６１２と入力軸６０８とに渡って設けられた支持装置６１４とを有している。
【００１８】
入力ローラ６０７は、ゴム等の樹脂から構成されている。したがって、入力ローラ６０７は、下部スプロケット４２との間で滑りが発生することがない。
【００１９】
支持装置６１４は、切替装置６１２に支持されている。支持装置６１４は、入力軸６０８を回転可能に支持する自動調芯軸受６１５と、支持装置６１４に支持され、入力ローラ６０７が下部スプロケット４２に押し付けられるように自動調芯軸受６１５を付勢する支持棒６１６とを有している。この例では、支持棒６１６は、引張ばねを有している。なお、支持棒６１６は、引張ばねを有さずに、長さが調節可能なターンバックルであってもよい。切替装置６１２は、図示しない磁石の磁力を用いてオイルパン５に対して固定されている。
【００２０】
下部スプロケット４２が回転すると、下部スプロケット４２の側面に接触している入力ローラ６０７が回転する。入力ローラ６０７が回転することによって、入力軸６０８が回転し、第１傘車６０９が回転する。第１傘車６０９および第２傘車６１０が互いに噛み合っているので、第１傘車６０９が回転することによって第２傘車６１０が回転する。これにより、中間軸６１１が回転する。つまり、中間軸６１１は、入力ローラ６０７とともに回転する。
【００２１】
図４は図２の切替装置６１２を示す断面図である。切替装置６１２は、中間軸６１１の他端部に一体に設けられた入力側傘車６１７と、出力軸６１３の一端部に一体に設けられた出力側傘車６１８と、入力側傘車６１７と出力側傘車６１８との間に設けられ、軸方向に移動可能な切替軸６１９と、切替軸６１９に設けられた反転用傘車６２０と、切替軸６１９の軸方向について反転用傘車６２０から離れるように切替軸６１９に設けられた継手部６２１と、切替軸６１９に設けられ、作業者により把持されるハンドル６２２と、入力側傘車６１７、出力側傘車６１８、反転用傘車６２０および継手部６２１が収容される筐体６２３と、筐体６２３に設けられ、切替軸６１９を回転可能に支持する一対の軸受６２４と、筐体６２３に設けられ、中間軸６１１を回転可能に支持する軸受６２５と、筐体６２３に設けられ、出力軸６１３を回転可能に支持する軸受６２６と、入力側傘車６１７に接続された継手６２７と、出力側傘車６１８に接続された継手６２８とを有している。
【００２２】
筐体６２３は、高さ方向中間部で上下に分割可能となっている。切替軸６１９は、筐体６２３の高さ方向中間部に配置されている。筐体６２３の上部を下部から切り離すことによって、切替軸６１９は、筐体６２３に対して軸方向に移動させることができる。
【００２３】
継手６２７は、中間軸６１１と同軸上に配置されている。また、継手６２７は、中間軸６１１の回転に連動して回転する。継手６２７における切替軸６１９に対向する面には、溝６２９が形成されている。
【００２４】
継手６２８は、出力軸６１３と同軸上に配置されている。出力軸６１３は、継手６２８の回転に連動して回転する。継手６２８における切替軸６１９に対向する面には、溝６３０が形成されている。
【００２５】
図５は図４の切替軸６１９、継手部６２１およびハンドル６２２を示す底面図、図６は図４の継手６２７および継手部６２１の要部を示す斜視図である。継手部６２１は、切替軸６１９の長手方向中間部に配置されている。継手部６２１は、切替軸６１９に設けられたベアリング６３１と、ベアリング６３１を介して切替軸６１９に回転可能に設けられた継手６３２とを有している。継手６３２の一端部には、溝６２９に係合可能な爪部６３３が形成されている。図４に示すように、継手６３２の他端部には、溝６３０に係合可能な爪部６３４が形成されている。
【００２６】
図４では、切替装置６１２は、反転用傘車６２０が入力側傘車６１７および出力側傘車６１８と噛み合っている。図７は図４の切替軸６１９が変位した状態を示す図である。切替軸６１９は、ハンドル６２２が軸方向に移動することによって、反転用傘車６２０が入力側傘車６１７および出力側傘車６１８と噛み合う第１噛合位置と、継手部６２１の爪部６３３が継手６２８の溝６２９に係合し、継手部６２１の爪部６３４が継手６２８の溝６３０に係合する第２噛合位置との間で変位する。切替軸６１９の位置が第１噛合位置である場合には、爪部６３３が溝６２９に係合せず、爪部６３４が溝６３０に係合しない。一方、切替軸６１９の位置が第２噛合位置である場合には、反転用傘車６２０は入力側傘車６１７および出力側傘車６１８と噛み合わない。切替軸６１９の第１噛合位置と第２噛合位置との間の変位は、切替軸６１９を軸方向に移動させることによって行われる。切替軸６１９の位置が第１噛合位置である場合に、中間軸６１１の回転力は、入力側傘車６１７、反転用傘車６２０および出力側傘車６１８を介して出力軸６１３に伝達される。この場合、中間軸６１１の回転力は、回転方向が反転されて出力軸６１３に伝達される。一方、切替装置６１２の位置が第２噛合位置である場合に、中間軸６１１の回転力は、入力側傘車６１７、継手６２７、継手部６２１、継手６２８および出力側傘車６１８を介して出力軸６１３に伝達される。この場合、中間軸６１１の回転力は、回転方向が変化することなく出力軸６１３に伝達される。したがって、切替装置６１２は、切替軸６１９を変位させることによって、回転方向を反転して中間軸６１１の回転力を出力軸６１３に伝達する反転状態と、回転方向を変化させることなく中間軸６１１の回転力を出力軸６１３に伝達する正転状態との間で状態が変化する。
【００２７】
図２に示すように、出力軸６１３が回転することによって、主動回収ローラ６０４Ａが回転する。
【００２８】
次に、廃油回収装置６の動作について説明する。図示しない駆動装置が駆動すると、上部スプロケット４１および下部スプロケット４２が回転する。エスカレータが上昇運転を行う場合には、切替装置６１２の状態を正転状態にし、エスカレータが下降運転を行う場合には、切替軸６１９の位置を反転状態にする。下部スプロケット４２が回転すると、動力伝達装置６０３が下部スプロケット４２の回転力を二軸スクリューローラ装置６０２に伝達する。これにより、二軸スクリューローラ装置６０２がオイルパン５に溜められた油を廃油回収容器６０１に移動させる。
【００２９】
以上説明したように、この発明の実施の形態１に係る廃油回収装置６によれば、廃油回収容器６０１と、オイルパン５と廃油回収容器６０１とに渡って設けられ、回転することによってオイルパン５に溜められた油を廃油回収容器６０１に移動させる二軸スクリューローラ装置６０２と、下部スプロケット４２の回転力を二軸スクリューローラ装置６０２に伝達して、二軸スクリューローラ装置６０２を駆動させる動力伝達装置６０３とを備えているので、下部スプロケット４２が回転することによって、二軸スクリューローラ装置６０２がオイルパン５の油をオイルパン５から廃油回収容器６０１に移動させる。これにより、オイルパン５から油が溢れ出てしまうことを防止することができる。
【００３０】
また、動力伝達装置６０３は、下部スプロケット４２の側面に接触し下部スプロケット４２の回転力が伝達される入力ローラ６０７を有し、入力ローラ６０７の回転力を用いて二軸スクリューローラ装置６０２を駆動させるので、既設の下部スプロケット４２を改造することなく、廃油回収装置６を設置することができる。
【００３１】
また、動力伝達装置６０３は、入力ローラ６０７とともに回転する中間軸６１１と、中間軸６１１の回転力が伝達される切替装置６１２と、切替装置６１２から回転力が伝達され、伝達された回転力により二軸スクリューローラ装置６０２を駆動させる出力軸６１３とを有し、切替装置６１２は、回転方向を反転して中間軸６１１の回転力を出力軸６１３に伝達する反転状態と、回転方向を変化させることなく中間軸６１１の回転力を出力軸６１３に伝達する正転状態との間で状態が変化するので、エスカレータにおける上昇運転または下降運転の運転方向に対応して、常に出力軸６１３を同じ方向に回転させることができる。
【００３２】
なお、上記実施の形態１では、乗客コンベヤとして、エスカレータを例に説明したが、動く歩道であってもよい。
【符号の説明】
【００３３】
１  主枠、２  踏段、３  欄干、４  踏段駆動装置、５  オイルパン、６  廃油回収装置、１１  上部水平部、１２  下部水平部、１３  傾斜部、４１  上部スプロケット、４２  下部スプロケット、４３  踏段チェーン、１００  上階側階床、１０１  下階側階床、６０１  廃油回収容器、６０２  二軸スクリューローラ装置、６０３  動力伝達装置、６０４  回収ローラ、６０４Ａ  主動回収ローラ、６０４Ｂ  従動回収ローラ、６０５  溝、６０６  スクリュー凸部、６０７  入力ローラ、６０８  入力軸、６０９  第１傘車、６１０  第２傘車、６１１  中間軸、６１２  切替装置、６１３  出力軸、６１４  支持装置、６１５  自動調芯軸受、６１６  支持棒、６１７  入力側傘車、６１８  出力側傘車、６１９  切替軸、６２０  反転用傘車、６２１  継手部、６２２  ハンドル、６２３  筐体、６２４  軸受、６２５  軸受、６２６  軸受、６２７  継手、６２８  継手、６２９  溝、６３０  溝、６３１  ベアリング、６３２  継手、６３３  爪部、６３４  爪部。
【図１】
2017057023.tif 000003
【図２】
2017057023.tif 000004
【図３】
2017057023.tif 000005
【図４】
2017057023.tif 000006
【図５】
2017057023.tif 000007
【図６】
2017057023.tif 000008
【図７】
2017057023.tif 000009